(57)【要約】【課題】移動するプラテンの姿勢を固定プラテンに対して平行になるよう調整する簡単な調整機構を有する型締機構を提供する。【解決手段】ベースフレーム２上を摺動するプラテン１を有する射出成形機の型締機構において、ベースフレーム２にガイド面５を有するガイド部材４を設ける。プラテン１に調整機構３を固定する。ガイド面５に当接する調整機構３に設けられた部材のガイド面５方向への突出位置を調節し、固定プラテンに対するプラテン１の水平方向に対する傾きを調整する。【選択図】　　　図１
2004090373.tif 000002
【特許請求の範囲】
【請求項１】
射出成形機のベース上に固設された固定プラテンと、該固定プラテンと平行に前記ベース上に載置されたリアプラテンと、前記固定プラテンと前記リアプラテンとの間を移動するように配設された可動プラテンとを有する射出成形機の型締機構において、
前記リアプラテンおよび前記ベースのいずれか一方にガイド面を、他方に該ガイド面と当接可能な調整機構を備え、前記調整機構を前記ガイド面に当接させることにより水平方向における前記リアプラテンの移動方向の傾きを調整可能としたことを特徴とする射出成形機の型締機構。
【請求項２】
射出成形機のベース上に固設された固定プラテンと、該固定プラテンと平行に前記ベース上に載置されたリアプラテンと、前記固定プラテンと前記リアプラテンとの間に載置され前記ベース上を摺動するように配設された可動プラテンとを有する射出成形機の型締機構において、
前記リアプラテンおよび前記ベースのいずれか一方にガイド面を、他方に該ガイド面と当接可能な調整機構を備え、
あるいは／及び前記可動プラテンおよび前記ベースのいずれか一方にガイド面を、他方に該ガイド面と当接可能な調整機構を備え、
前記調整機構を前記ガイド面に当接させることにより水平方向における前記リアプラテンの移動方向の傾きを調整可能としたことを特徴とする射出成形機の型締機構。
【請求項３】
前記ガイド面は前記ベースを形成するベースフレームの内側面に設けられ、前記調整機構は前記プラテンの下部に設けられた請求項１及び２記載の射出成形機の型締機構。
【請求項４】
前記ガイド面は前記いずれかのプラテンの下部側面に設けられ、前記調整機構は前記ベースフレームに設けられた請求項１及び２記載の射出成形機の型締機構。
【請求項５】
前記調整機構は、頭部に偏心した軸部を有する取付軸と、該偏心した軸部の回りに回転する回転ローラを備え、該回転ローラがガイド面に当接するように構成されている請求項１乃至４の内いずれか１項に記載の射出成形機の型締機構。
【請求項６】
前記調整機構は、前記ガイド面に対向する面が傾斜面に形成され前記ベース又はプラテンに取りつけられる取付部材と、該取付部材の傾斜面と当接する傾斜面と該傾斜面に対向する面が前記ガイド面と当接し摺動可能としたスライドプレートと、該スライドプレートを前記取付部材の傾斜面とガイド面間にくさび状に進入させた位置を調整する調節部材で構成されている請求項１乃至４の内いずれか１項に記載の射出成形機の型締機構。
【請求項７】
前記調整機構は、前記ベース又はプラテンに取りつけられる取付部材と、該取付部材に突出調節用のねじが螺合し、該ねじの先端に前記ガイド面と当接する摺動面を有するプレートで構成されている請求項１乃至４の内いずれか１項に記載の射出成形機の型締機構。
【請求項８】
前記調整機構は、前記ベース又はプラテンに取りつけられる取付部材と、該取付部材に突出調節用のねじが螺合し、該ねじの先端に前記ガイド面と当接するローラを備えたプレートで構成されている請求項１乃至４の内いずれか１項に記載の射出成形機の型締機構。
【発明の詳細な説明】
【０００１】
【発明の属する技術分野】
本発明は、射出成形機の型締機構に関し、特に型締機構における移動するプラテンの姿勢保持に関する。
【０００２】
【従来の技術】
射出成形機の型締機構においては、固定側金型が取り付けられた固定プラテンに対して可動側金型が取り付けられた可動プラテンを、固定プラテンと平行な姿勢を保持して移動させる。また、トグル式やクランク式型締機構においては、可動プラテンに対して固定プラテンと反対側に配置されるリアプラテンも、固定プラテン及び可動プラテンと平行な姿勢を保持して移動可能に構成されている。
【０００３】
前記型締機構においては、金型の型締めを行った後、型締めを解除したロックアップ解除時には、トグル機構等の可動プラテンとリアプラテンを連結するピンとリンク間のクリアランス、タイバーとプラテンの間のクリアランス等による影響を受けて、可動プラテンの姿勢が変化する。そのため、固定プラテンと可動プラテン間の平行度がこのクリアランス分ずれる可能性がある。
【０００４】
この可動プラテンと固定プラテンの平行度は、これらのプラテンに取り付けられた可動側金型と固定側金型の平行度を表すことになり、成形品の品質・精度に大きな影響を与える。特に高精度の成形が要求される場合には、この平行度をより正確に保持することが重要である。
【０００５】
この移動するプラテン（可動プラテン、リアプラテン）の固定プラテンに対する平行度を調整するには、固定プラテンに対して上下方向の傾き（移動するプラテンが載置されるベース平面に平行でプラテン移動方向に対して直交する軸周り回転方向の傾き）に対しては、これらのプラテンを支持するローラや滑り軸受けを調整することで行うことができる。しかし、固定プラテンに対して水平方向の傾き（プラテンが載置されるベース平面と直交する軸（垂直軸）回り回転方向の傾きで、水平方向におけるプラテンの移動方向に対する傾き）に対する平行度調整機構は備えていない。
【０００６】
これを解決するために、特開平９−２６２８８４号公報には直線ガイド装置を用いて、可動プラテン及びリアプラテンをガイドすることによって、これらプラテンと固定プラテンの平行度を調整するものが提案されている。
【０００７】
【発明が解決しようとする課題】
上述した特開平９−２６２８８４号公報に記載された発明のように直線ガイド装置を用いて平行度を保持することが考えられるが、この場合、直線ガイド装置を設ける分、射出成形機のコストが上がるという問題がある。
そこで、本発明の目的は、低コストで、可動プラテン等の移動するプラテンの姿勢を固定プラテンに対して平行になるよう調整できる型締機構を提供することにある。
【０００８】
【課題を解決するための手段】
本発明は、固定プラテンとリアプラテンとを有し、その間を移動する可動プラテンを備えた射出成形機の型締機構において、前記各プラテンの内、射出成形機のベースに対して相対移動するプラテンの下部と前記ベースのどちらか一方にガイド面を設け、他方に該ガイド面と当接し水平方向におけるプラテンの移動方向に対する傾きを調整する調整機構を設けることによって、前記課題を解決した。すなわち、前記ガイド面を前記ベースレームの内側面に設け、前記調整機構を前記プラテンの下部に設けるか、又は、ガイド面を前記プラテンの下部側面に設け、前記調整機構を前記ベースに設ける。
【０００９】
また、この調整機構は、頭部に偏心した軸部を有する取付軸と、該偏心した軸部の回りに回転する回転ローラを備え、該回転ローラがガイド面に当接するように構成する。若しくは、この調整機構をベース又はプラテンに取りつけられる傾斜面を有する取付部材と、該取付部材の傾斜面と当接する斜面と該斜面に対向する面が前記ガイド面と当接し摺動可能としたスライドプレートと、該スライドプレートを前記取付部材の傾斜面とガイド面間にくさび状に進入させた位置を調整する調節部材で構成する。
【００１０】
また、この調整機構を、前記ベース又はプラテンに取りつける取付部材と、該取付部材に突出調節用のねじが螺合し、該ねじの先端に前記ガイド面と当接するスライド面を有するプレートで構成する。さらに、このプレートのガイド面側には、ガイド面と当接するローラを設ける。
【００１１】
【発明の実施の形態】
射出成形機の型締機構において、直動式型締機構は、固定プラテンとリアプラテンが射出成形機のベースに固定され、該固定プラテンとリアプラテン間を可動プラテンを移動可能とし、固定プラテンに固定側金型を取り付け、可動プラテンに可動側金型を取り付けて可動プラテンを移動させて型締めを行う。又、トグル式やクランク式型締機構においては、リアプラテンも射出成形機のベースに対して移動可能に設けられ、リアプラテンと固定プラテンをタイバーで連結し、リアプラテンと固定プラテン間に配置されたトグル機構やクランク機構を駆動することによって、可動プラテンを固定プラテン側に移動させタイバーを伸長させることによって、可動プラテンと固定プラテンに取り付けられた金型の型締めを行う。この場合、リアプラテンも射出成形機のベースに対して相対移動することになる。
本発明は、このような射出成形機のベースに対して相対移動するプラテン（可動プラテン，リアプラテン）に対して適用するもので、図１は、本発明の一実施形態の型締機構要部を示す図である。図１（ａ）は該型締機構における移動するプラテン（可動プラテン又はリアプラテン）の正面図であり、図１（ｂ）は側面図で、図１（ａ）を右方向からみた図で、ベースフレーム等を一部切り欠いた図である。
【００１２】
射出成形機のベースを構成するベースフレーム２には、内側にガイド面５を有するガイド部材４が取り付けられており、該ガイド部材４の上にはプラテン１が図１（ａ）において紙面垂直方向に移動自在に載置されている。このプラテン１の下部には、各ガイド部材４のガイド面５と当接するようにそれぞれ調整機構３が設けられており、この調整機構３を調整することによって、プラテン１の水平方向の傾きを調整できるようにしている。なお、図１において、符号６は、該プラテン１に連結されるタイバーが貫通する孔であり、符号７は、該プラテン１とトグル機構とを連結するための連結部材を示すものである。
【００１３】
また、図２は、本発明の別の実施形態の型締機構要部を示す図である。図２（ａ）は該型締機構における移動するプラテン（可動プラテン又はリアプラテン）の正面図であり、図２（ｂ）は側面図である。
【００１４】
この実施形態では、プラテン１の下部両側面にガイド面５が形成される。ベースフレーム２にはガイド面５に当接するようにそれぞれ調整機構３が設けられ、この調整機構３を調整することによってプラテン１の水平方向の傾きを調整できるようにしている。
【００１５】
図３〜図６は、本発明で用いられる調整機構３の各種態様を示す図である。図３〜図６に示す例は、図１に示した実施形態にこれらの調整機構３を用いたときの例を示しており、図１（ａ）において、ベースフレーム２を取り除いた一方の側の調整機構３とガイド面５との当接関係の状態を示している。
【００１６】
図３に示す例は、偏心軸によってガイド部材４のガイド面５に当接する回転ローラの突出位置を調節するようにしたものである。
プラテン１の下面には取付部材１０が取り付けボルト１１で固着されている。該取り付け部材１０には、プラテン１の移動方向に沿って２カ所に頭部に回転ローラを有する調整具１２が取り付けられている。
【００１７】
この調整具１２は、図７（図７（ａ）は正面図、図７（ｂ）は右方向からみた側面図、図７（ｃ）は一部断面図である）に示すように、拡径された頭部１２ｂを有し取付部材１０に図示しないナットと螺合する雄ねじ１２ｆが切られた取付軸１２ａを備えており、該頭部の軸１２ｂの外周円と取付軸１２の雄ねじ１２ｆが切られた足部軸の外周円は偏心して形成されている。
取付軸１２ａの頭部の軸１２ｂの軸周りにはニードルローラ１２ｄが配設され、該配設されたニードルローラ１２ｄの外側に外輪１２ｅが配設され、このニードルローラ１２ｄと外輪１２ｅで回転ローラを構成している。また、取付軸１２ａの拡径された頭部１２ｂの両端には、ニードルローラ１２ｄと外輪１２ｅの脱落を抑えるように、側板１２ｃが焼きばめ等で固着されている。そして、この取付軸１２ａを取付部材１０に設けられた孔に通し、雄ねじ１２ｆに図示しないナットを螺合させて、頭部１２ｂの足側側板１２ｃとナットで取付部材１０を締め付けて、取付軸１２ａを取付部材１０に固定する。
【００１８】
プラテン１の水平方向に対する傾きの調整は、２つ設けた調整具１２の取付軸１２ａを取付部材１０に固定する際の回転位置を調整することによって、該取付軸１２ａの偏心した頭部１２ｂのガイド面５方向への突出量を調整することによって、ニードルローラ１２ｄと外輪１２ｅで構成される回転ローラの回転中心位置を変え、外輪１２ｅとガイド面５の当接位置を調整する。
【００１９】
図４は、調整機構３の別の態様である。また、図８にこの調整機構３の一部拡大図を示す。この調整機構３は、中央部が突出した傾斜面２０ａを有する取付部材２０が該傾斜面２０ａをガイド面５に対向するようにボルト２１等でプラテン１に固定される。また、取付部材２０の各傾斜面２０ａと当接する傾斜面２２ｂを有するスライドプレート２２がそれぞれ取り付けられている。各スライドプレート２２において、傾斜面２２ｂと対向する面２２ａは、ガイド部材４のガイド面５と当接する面でありスライド面を形成する。各スライドプレート２２をその傾斜面２２ｂと取付部材２０の傾斜面２０ａとを当接させて移動させたとき、この傾斜面２２ｂと対向する面は同一平面上を移動するようにスライドプレート２２は形成されている。
【００２０】
図８に示すように、取付部材２０には、雌ねじ２３が切られ、またスライドプレート２２にも雌ねじ２４が切られている。管状で外周に雄ねじが切られた押しボルト２５をスライドプレート２２の雌ねじ２４に螺合させて貫通させる。そして、取付部材２０の傾斜面２０ａにスライドプレート２２の傾斜面２２ｂを当接させ、スライドプレート２２を取付部材２０とスライド面５間にくさび状に挿入する。該管状の押しボルト２５の管内にボルト２６を挿入し、取付部材２０の雌ねじ２３に螺合させ取付部材２０に管状の押しボルト２５の端面を押しつけてボルト２６を取付部材２０に固着することによって、取付部材２０とスライドプレート２２は連結される。そして、押しボルト２５を回転させることによって、スライドプレート２２を図８の矢印方向に移動させて、スライドプレート２２のスライド面２２ａのガイド面５方向への突出量を調節することによって、この２つの（左右両方を入れて４つの）スライドプレート２２のスライド面２２ａガイド面５の当接する位置を調整することによってプラテンの水平方向の固定プラテンに対する傾きを調整する。
【００２１】
図５は、調整機構３のさらに別の態様である。この調整機構３においては、プラテン１にＬ字状の取付部材３０が一方の面がガイド面５と並行に対向するようにボルト３１等で固定され、該取付部材３０のガイド面５に対向する面には、間隔をおいて２つの雌ねじ３５が切られている。該各雌ねじ３５には、ねじ３２が螺合し、該ねじの先端に結合されたスライドプレート３３をスライド面５に押圧するように構成されている。なお、符号３４は、ねじ３２の弛み止めのナットである。
【００２２】
この態様の調整機構３では、ねじ３２の締め込み量を調節することによってスライドプレート３３のガイド面５方向への突出量を調整し、プラテンの水平方向の固定プラテンに対する傾きを調整する。
図６は、さらに別の調整機構３の態様である。図５に示した態様と相違する点は、スライドプレート３３のガイド面５に対向するスライド面にローラ３６が設けられている点である。他の構成、作用は図５に示した態様と同一である。
【００２３】
図３〜図６で示した態様は、図１に示した第１の実施形態に適用したときの調整機構とスライド面との関係を示すものであるが、図２に示す第２の実施形態に対しても同様に、図３〜図６で示した態様の調整機構を適用できるものである。単に、この調整機構をベース側に固定し、ガイド面をプラテン側に設けるだけの違いであるのでその説明は省略する。
【００２４】
【発明の効果】
本発明は、型締機構において、移動するプラテンに対して固定プラテンに対する水平方向の傾きを、簡単な構成で調整することができる。垂直方向に対する傾きは、この移動するプラテンが載置される面でガイドされ固定プラテンに対して平行に保持されることから、上述した簡単な構成で、水平方向の傾きを調整することによって、可動プラテンやリアプラテン等の移動するプラテンを固定プラテンに対して平行な姿勢になるように調整できるものである。
【図面の簡単な説明】
【図１】本発明の第１の実施形態の型締機構要部を示す図である。
【図２】本発明の第２の実施形態の型締機構要部を示す図である。
【図３】調整機構の第１の態様を示す図である。
【図４】調整機構の第２の態様を示す図である。
【図５】調整機構の第３の態様を示す図である。
【図６】調整機構の第４の態様を示す図である。
【図７】調整機構の第１の態様における調整具の説明図である。
【図８】調整機構の第２の態様を示す図４の一部拡大図である。
【符号の説明】
１　プラテン
２　ベースフレーム
３　調整機構
４　ガイド部材
５　ガイド面
６　タイバー用孔
７　連結用部材
１０，２０，３０　取付部材
１１，２１，３１　取付ボルト
１２　調整具
１２ａ　取付軸
１２ｂ　頭部
１２ｃ　側板
１２ｄ　ニードルローラ
１２ｅ　外輪
１２ｆ　雄ねじ
２２　スライドプレート
２０ａ，２２ｂ　傾斜面
２２ａ　スライド面
２３，２４　雌ねじ
２５　押しボルト
２６　ボルト
３２　ねじ
３３　スライドプレート
３４　ナット
３５　雌ねじ
３６　ローラ
【図１】
2004090373.tif 000003
【図２】
2004090373.tif 000004
【図３】
2004090373.tif 000005
【図４】
2004090373.tif 000006
【図５】
2004090373.tif 000007
【図６】
2004090373.tif 000008
【図７】
2004090373.tif 000009
【図８】
2004090373.tif 000010